(57)【特許請求の範囲】
【請求項１】
ベースプレート（２）と、テープ状部材、特に信号を記録及び／又は再生するための磁気テープ、を案内するためのテープガイドエレメント（２０）とが設けられており、
テープガイドエレメントをベースプレート（２）上に配置するための別の手段と、特に繰出しリールから巻取りリールへ、及びその逆への前記テープ状部材の搬送中に該テープ状部材の案内に関して前記テープガイドエレメントを調節する手段とを備えており、
前記テープガイドエレメント（２０）を調節する手段が、ベースプレート（２）上に配置されたレバー状部材（２１）によって形成され、該レバー状部材上にテープガイドエレメント（２０）が、前記レバー状部材（２１）の作動によって同時に前記ベースプレート（２）に対して垂直方向の、テープガイドエレメント（２０）の調整運動を生ぜしめるように配置されており、
レバー状部材（２１）が、レバーとして構成された調節板金（２４）を介して作動させられるようになっており、前記調節板金の一方の端部はテープガイドエレメント（２０）の近くにおいてレバー状部材（２１）に係合しており、前記調節板金は調節ねじ（２５）によってベースプレート（２０）に結合されており、前記調節ねじは調節のために作動されることができかつ調節板金の他方の端部に作用するようになっている形式のものにおいて、
ベースプレート（２）にエッジ（Ｙ）が設けられており、該エッジ（Ｙ）が、調節板金（２４）のための旋回支点として作用しかつ、テープガイドエレメント（２０）の調節を行うためのレバーのための２つの梃子腕長（Ａ，Ｂ）を規定しており、レバーの第２の梃子腕長（Ｂ）に対する第１の梃子腕長（Ａ）の比がテープガイドエレメント（２０）の調節のための調節感度を決定することを特徴とする、テープガイドシステム。
【請求項２】
テープガイドエレメント（２０）が、該テープガイドエレメントを支持しておりかつベースプレート（２）上に配置されたレバー状部材（２１）に、調節可能に配置されている、請求項１記載のテープガイドシステム。
【請求項３】
請求項１又は２記載のテープガイドシステムを有する、テープ状記録担体を用いて信号を記録及び／又は再生するためのレコーダ。
【発明の詳細な説明】
【０００１】
【発明の属する技術分野】
本発明は、請求項１に発明の上位概念として規定した通り、テープ状部材、特に信号を記録及び／又は再生する磁気テープ、を案内するためのテープガイドエレメントであって、該テープガイドエレメントをベースプレート上に配置する手段と、特に繰出しリールから巻取りリールへ、及びその逆への前記テープ状部材の搬送中に該テープ状部材の案内に関して前記テープガイドエレメントを調節する手段とを備えた形式のものに関する。
【０００２】
【従来の技術】
前記形式のテープガイドエレメントはビデオレコーダでは殊に変向ガイドローラとして構成されており、かつこの変向案内機能以外に、テープ搬送と信号走査の相関作用を達成するためにテープを案内する役目を果たす。その場合、記録された又は記録すべき信号のごく狭幅の、例えば２５〜５０μｍのトラック幅は、ビデオレコーダ相互間に必要な適合性と相俟って、特に走査領域内へテープを導入しかつ該走査領域から導出するためにテープガイドエレメントを適当に設定しかつ高さ調節することを前提条件としている。
【０００３】
それ故に特にヘリカル走査法に基づくレコーダでは、このようなテープガイドエレメントはその高さ位置を、テープ走行機構装架台に対して相対的に調節可能に配置されている。このような構成の実施形態は例えば欧州特許第０１２７４４７号明細書に基づいて公知である。
【０００４】
しかしながら記録すべき信号のトラック幅が１０μｍ以下である場合、前記のような構成は限界にぶち当たる。それというのは、トラック幅がこのように僅小である場合、テープガイドエレメントの高さを相応に調節するためには、極めて実現し難い小さなねじリードを有する調節手段が必要になるからである。
【０００５】
【発明が解決しようとする課題】
それ故に本発明の第１の課題は、前記形式のテープガイドエレメントの高さ調節を改善することである。
【０００６】
更に本発明の第２の課題は、テープ状の記録担体を用いて信号を記録及び／又は再生するためのレコーダにおいて、テープ走行機構装架台又は類似の支持体エレメントに対する、特にテープガイドエレメントの相対的な高さ調節を改善することである。
【０００７】
【課題を解決するための手段】
前記第１の課題を解決するための本発明の構成手段は、請求項１の特徴部に記載した通り、テープガイドエレメントを配置しかつ支持する手段が、ベースプレート上に配置されたレバー状部材によって形成され、該レバー状部材上にテープガイドエレメントが、前記レバー状部材の作動によって同時に前記ベースプレートに対して垂直方向の、テープガイドエレメントの調整運動を生ぜしめるように配置されている点にある。
【０００８】
本発明の基礎となっている思想は、前記形式のテープガイドエレメントをレバー状の装置によって、テープ走行機構装架台上又は適当なその他の支持体上に配置すること、しかも調整手段とテープガイドエレメントとを適当に配置することに基づいて生じる梃子比を、単純な形式で該テープガイドエレメントの高さ調節のために活用することである。
【０００９】
更に本発明は、単純な構成手段によって実現できるという利点を有している。例えば適当な梃子比によって、従来慣用の細目ねじによる調整態様を断念することが可能になるので、この形式のテープガイドエレメントの構成上の経費が著しく節減される。
【００１０】
また他面において、梃子比による本発明の調整手段と従来慣用の調整手段とを組合わせることによって、このようなテープガイドエレメントの調節が、細目ねじを遥かに凌駕する精密さをもって簡便に実現される。
【００１１】
前記第２の課題を解決するための本発明の構成手段は、請求項６に記載した通りである。
【００１２】
【発明の実施の形態】
次に図面に基づいて本発明の実施例を詳説する。
【００１３】
なお実施例の説明に先立って断っておくが、図１及と図２において等しい部分もしくは互いに対応する部分には等しい符号を付した。
【００１４】
図２に示した公知のテープガイドエレメント１は、該テープガイドエレメントをベースプレート２に対して相対的に調節するための調節手段として後述の螺合継手３及びスリット４を有している。前記ベースプレート２は例えば、テープ走行機構装架台（図示せず）の一部分であるか、或いはヘリカル走査法によるレコーダのテープ通し装置（図示せず）の一部分も形成している。
【００１５】
テープガイドエレメント１は、ベースプレート２に対して垂直な軸５に支承されており、かつ該軸５を中心として回転可能なローラ６を有し、該ローラは上部フランジ７と下部フランジ８を備えている。ベースプレート２に固着結合された受容ブシュ９との下部フランジ８の螺合継手３によって、テープガイドエレメント１はベースプレート２に対して垂直に調節可能である。この調節目的のために受容ブシュ９との下部フランジ８の螺合継手３は、例えば０．２ｍｍのリードを有する細目ねじ山として形成されている。上部フランジ７と下部フランジ８は、ローラ６が回転できるような間隔をとって軸５にプレス嵌めされている。上部フランジ７は、テープガイドエレメント１を作動して調節するためのスリット４を有している。
【００１６】
テープガイドエレメント１を調節するに先立って先ず、受容ブッシュ９内に設けられている止めねじ１０が弛められねばならない。この調節は、上部フランジ７内に設けたスリット４を介してテープガイドエレメント１を作動して適当に高さを設定することによって行われる。調節されたテープガイドエレメント１を位置決めするために、次いで止めねじ１０が再び緊締される。止めねじ１０による位置決めは１例にすぎず、従って他の公知手段によって解決することも可能である。
【００１７】
図１には、ベースプレート２に対して相対的にテープガイドエレメント２０の高さを調節する手段２２，２５を有する本発明によるテープガイドエレメント２０の構成が例示されている。
【００１８】
図２で説明した調節手段つまり螺合継手３及びスリット４を無しで済ませるテープガイドエレメント２０は、図１ではストリップ状の受容板金２１の一端に回転可能に支承されている。ベースプレート２の上面に形成された切欠部２２の上位に事実上平行に延びる前記の受容板金２１は、固定側を形成する他端部で、殊に有利には組付けねじ２３から成るねじ継手によって、ベースプレート２と固定的に結合されている。
【００１９】
テープガイドエレメント２０の下部フランジ８は、殊に有利にはリベット継手によって前記受容板金２１と固定的に結合されており、かつ前記下部フランジ８内に前記テープガイドエレメント２０の軸５がプレス嵌めされている。上部フランジ７は、下部フランジ８に対して、テープガイドエレメント２０のローラ６が回転できるような間隔をおいて軸５に固着配置されている。
【００２０】
テープガイドエレメント２０の高さを調節するために、殊に有利には、前記切欠部２２内に配置されたストリップ状の調節板金２４が設けられている。該調節板金２４は殊に有利には二腕レバーとして形成されており、該二腕レバーの一方のレバー端部は、テープガイドエレメント２０の近傍で受容板金２１に係合しており、かつ他方のレバー端部に係合していて高さ調節のために操作可能な調節ねじ２５を介してベースプレート２と結合されており、しかも前記切欠部２２に成形されたエッジＹは前記二腕レバーの旋回支点として使用される。調節のために作用する有効梃子腕長は夫々符号ＡとＢで表されている。
【００２１】
受容板金２１の固定側は、切欠部２２への移行点を形成するエッジＸを起点として前記受容板金２１が、調節板金２４の作用なしに切欠部２２の方へ向かって撓曲しているように、微々たる角度だけ（角度が微々たるが故に図示せず）屈曲形成されている。この手段によって受容板金２１は予荷重をかけて調節板金２４と係合した状態に保たれている。
【００２２】
調節板金２４は調節ねじ２５の回動によってエッジＹを介して傾動される。その場合、有効梃子腕長ＡとＢの比が、テープガイドエレメント２０を調節するための調整感度を決定する。エッジＸとテープガイドエレメント２０との距離を適当に選ぶことによって、調節ねじ２５を作動しても、ベースプレート２に対して垂直なテープガイドエレメント２０に生じる角度変化は微々たるものであり、事実上無視できる程度にすぎず、従ってテープ走行に如何なる影響も及ぼさない。調節ねじ２５は抗張ねじとして作用することも、またその逆に抗圧ねじとして作用することもできる。
【００２３】
要するにテープガイドエレメント２０はストリップ状の受容板金２１の端部に支承されており、該受容板金は片側を緊定したレバーを形成し、該レバーは、テープガイドエレメント２０を調節する目的で、調節板金２４によって形成された別の二腕レバーを介して作動可能であり、しかも該二腕レバーの有効梃子腕長Ａ対Ｂの比が調整感度を決定している。
【００２４】
このような装置を用いれば、テープガイドエレメントを設定及び／又は調節できるばかりでなく、例えば信号の記録及び／又は再生用ヘッドやヘリカル走査法によるレコーダのテープ通しキャリッジ用の角柱体などのような別のエレメントも設定及び又は調節することが可能である。
【００２５】
このような装置は更に又、記録済みもしくは記録すべき信号をデジタル処理する近未来のビデオレコーダにおいて有利に適用することができる。それというのは当該技術分野では記録トラックをますます狭幅にすることに努力が払われている以上、テープガイドエレメント１用の調節手段を一層正確に動作させる必要があるからである。さもなければこの調節手段は、著しく製作の困難な０．１ｍｍより小さいねじリードでもって実現されねばならなくなるだろう。
【００２６】
そればかりでなく本発明の構成によるテープガイドエレメント２０では、図２について説明した公知のテープガイドエレメント１の慣用の調節手段３，４を付加的に設けることによって、調整感度ひいては調整精度を一層向上することが可能である。このように調節手段を組合わせた場合、テープガイドエレメントは縮小されてスペースを節減され、しかも慣用の調節手段３，４は例えば所謂「粗調節」のために使用されるのに対して、本発明の調節手段２４，２５は微調節のために使用される。
【００２７】
図示の実施例によって本発明の原理を説明したが、この原理を基礎にして、単数又は複数のレバーを使用したり、或いは伝動装置によって実現可能な調節伝達比を利用する別の形態で実施することも可能である。
【図面の簡単な説明】
【図１】本発明の構成によるテープガイドエレメントの断面図である。
【図２】従来技術の構成による公知のテープガイドエレメントの断面図である。
【符号の説明】
１  公知のテープガイドエレメント、  ２  ベースプレート、  ３  螺合継手、  ４  スリット、  ５  軸、  ６  ローラ、  ７  上部フランジ、  ８  下部フランジ、  ９  受容ブシュ、  １０  止めねじ、  ２０  テープガイドエレメント、  ２１  受容板金、  ２２  切欠部、  ２３  組付けねじ、  ２４  調節板金、  ２５  調節ねじ、  Ａ，Ｂ  有効梃子腕長、  Ｘ  切欠部への移行点を形成するエッジ、  Ｙ  二腕レバーの旋回支点を形成するエッジ
【図１】
0003973778.tif 000002
【図２】
0003973778.tif 000003